(57)【要約】【課題】既成の仮設足場板や金物を使用し、更に折板屋根の構築に使用された屋根用連結ボルトを利用して簡易に縦横に設置される歩廊を提供する。【解決手段】折板屋根の隣接する少なくとも二山の間に跨る受け材５が架け渡され、同受け材５の両端が当該折板屋根の構築に使用した屋根用連結ボルト４Ａ又は４Ｂを利用して固定されている。受け材５の上に、歩廊材７が、折板３の折り筋と同方向に架設されている。歩廊材７の上面を横断方向に押さえ付けた固定バンド８の両端８ａが、受け材５とボルト９で接合されている。【選択図】図２
2009007796.tif 000002
【特許請求の範囲】
【請求項１】
屋根架構の梁上に折板を敷設して構築された折板屋根の上面に、折板の折り筋と同方向に設置された歩廊であって、
前記折板屋根の隣接する少なくとも二山の間に跨る受け材が架け渡され、同受け材の両端が当該折板屋根の構築に使用した屋根用連結ボルトを利用して固定されており、
前記受け材の上に、歩廊材が、折板の折り筋と同方向に架設されており、
前記歩廊材の上面を横断方向に押さえ付けた固定バンドの両端が、前記受け材とボルト接合により固定されていることを特徴とする、折板屋根上の歩廊。
【請求項２】
屋根架構の梁上に折板を敷設して構築された折板屋根の上面に、折板の折り筋と直交する配置に設置された歩廊であって、
前記折板屋根の折り筋と直交する配置で、同折板屋根の各山頂上に歩廊材が載置されており、
前記歩廊材の上面を横断方向に押さえ付けた固定バンドの両端が、当該折板屋根の構築に使用した屋根用連結ボルトを利用して固定されていることを特徴とする、折板屋根上の歩廊。
【発明の詳細な説明】
【技術分野】
【０００１】
この発明は、折板屋根上のメンテナンス用に設置される歩廊の技術分野に属し、更に言えば、既成の仮設足場板や金物を使用し、更に折板屋根の構築に使用された屋根用連結ボルト（又は折板屋根ルーフボルトとも呼ぶ。）を利用して簡易に縦横に設置される歩廊の技術分野に属する。
【背景技術】
【０００２】
従来、金属製折板を使用して構築される折板屋根は、下記の特許文献１〜３を挙示したように種々公知であり、広く実施されている。
こうした折板屋根に関しても、部材の老朽化や破損等の有無、あるいは雨漏りなどの点検や修理のために、折板屋根上を安全に自由に歩けるメンテナンス歩廊（以下、歩廊という。）の必要性が大である。ところが従来、折板屋根の構造的特徴や機能に適合する構成の歩廊、あるいは折板屋根の構築後に施工性良く設置でき、軽量構造で、配置の自由度が高く、ハンドリング性の良い歩廊が見当たらないため、通例は直接、折板屋根上をその凹凸形状に足を取られながら歩いているのが実情である。
【０００３】
【特許文献１】特開平８−２０９８６３号公報
【特許文献２】特開平８−２４６６０９号公報
【特許文献３】特許第３５９３３３８号（特開２００３−２６８９３２号公報）
【発明の開示】
【発明が解決しようとする課題】
【０００４】
本発明の目的は、折板屋根の凹凸形状を苦にすることなく歩くことができ、むしろ折板屋根に固有の凹凸形状を活用して、同折板屋根上のほぼ全面にわたり設置して、折板屋根上を安全に自由に歩いて点検、修理を行うことができる歩廊を提供することである。
本発明の次の目的は、折板屋根の構造的特徴や機能を活用して、折板屋根の構築後でも自由に施工性良く設置することができ、しかも軽量構造で、屋根上の点検その他の必要性と目的に応じて縦横に設置でき、配置の自由度が高く、ハンドリング性の良い歩廊を提供することである。
【課題を解決するための手段】
【０００５】
上述した従来技術の課題を解決するための手段として、請求項１に記載した発明に係る折板屋根上の歩廊は、
屋根架構の梁１上に折板３を敷設して構築された折板屋根の上面に、折板３の折り筋と同方向に設置された歩廊Ｗ１であって、
前記折板屋根の隣接する少なくとも二山の間に跨る受け材５が架け渡され、同受け材５の両端が当該折板屋根の構築に使用した屋根用連結ボルト４Ａ又は４Ｂを利用して固定されており、
前記受け材５の上に、歩廊材７が、折板３の折り筋と同方向に架設されており、
前記歩廊材７の上面を横断方向に押さえ付けた固定バンド８の両端８ａが、前記受け材５とボルト９で接合されていることを特徴とする。
【０００６】
請求項２に記載した発明に係る折板屋根上の歩廊は、
屋根架構の梁１上に、折板３を敷設して構築された折板屋根の上面に、折板３の折り筋と直交する配置に設置された歩廊Ｗ２であって、
前記折板屋根の折り筋と直交する配置で、同折板屋根の各山頂上に歩廊材７が載置されており、
前記歩廊材７の上面を横断方向に押さえ付けた固定バンド８の両端８ａが、当該折板屋根の構築に使用した屋根用連結ボルト４Ａ又は４Ｂを利用して固定されていることを特徴とする。
【発明の効果】
【０００７】
請求項１に係る発明は、折板屋根の上面に、折板３の折り筋と同方向に歩廊Ｗ１を設置するにあたり、折板屋根の隣接する少なくとも二山の間に跨るように架け渡した受け材５の両端を、当該折板屋根の構築に使用した屋根用連結ボルト４Ａ又は４Ｂを利用して固定し、前記受け材５の上に、歩廊材７を、折板３の折り筋と同方向に架設し、同歩廊材７の上面を横断方向に押さえ付けた固定バンド８の両端８ａを、前記受け材５とボルト９により接合して固定した構成であるから、正に折板屋根の構造的特徴と機能を活用して、折板屋根の構築後でも、簡易に施工性良く、設置場所を自由に選んで設置することができる。
【０００８】
しかも歩廊材７には既往の足場板などを使用できるほか、固定バンド８や受け材５にしても建築現場にありあわせた屋根工事用の副資材や適応金物を利用して設置することができる。かくして安価に、軽量構造に、しかも屋根上に必要とされる場所や数量をことさら制限されることもなく歩廊Ｗ１を設置できる。
そして、使用上の必要がなくなった歩廊Ｗ１は、撤去したり設置場所を変更する配置替えなどの自由度も高いし、ハンドリング性の良さを有するのである。
【０００９】
請求項２に係る発明も、折板屋根の上面に、折板３の折り筋と直交する配置に歩廊Ｗ２を設置するにあたり、折板屋根の折り筋と直交する配置で、同折板屋根の各山頂上に歩廊材７を載置し、その上面を横断方向に押さえ付けた固定バンド８の両端８ａを、当該折板屋根の構築に使用した屋根用連結ボルト４Ａ又は４Ｂを利用して固定し設置するから、やはり折板屋根の構造的特徴と機能を活用して、折板屋根の構築後でも簡易に施工性良く設置することができる。歩廊Ｗ２の設置に必要な資材も、固定バンド８のみで足りる便利さと経済性の良さがある。
【００１０】
以上のようにして、本発明の歩廊Ｗ１、Ｗ２は、折板屋根の完成後に自由に設置できるので、屋根の鉄骨製作図段階で、歩廊設置のための検討は無用であり、屋根面上へ自由なルートで配置できる。
そして、請求項１に係る発明のように折板３の折り筋と同方向に設置する歩廊Ｗ１と、請求項２に係る発明のように折板３の折り筋と直交する配置に設置する歩廊Ｗ２とを、要所要所で相互に歩行可能に接続した配置で設置すると、図９に例示したように、折板屋根の上面に、縦横な配置で、必要なだけ、或いは隅々にまで歩廊Ｗ１、Ｗ２を軽便に設置することができる。よって、この歩廊Ｗ１、Ｗ２を利用すると、折板屋根の老朽化や破損等の有無、あるいは雨漏りなどの点検や修理のために屋根上を安全に自由に歩き回れるのである。
【発明を実施するための最良の形態】
【００１１】
折板屋根の上面に、折板３の折り筋と同方向に設置する歩廊Ｗ１は、折板屋根の隣接する少なくとも二山の間に跨る受け材５を架け渡し、同受け材５の両端は、当該折板屋根の構築に使用した屋根用連結ボルト４Ａ又は４Ｂを利用して固定する。
その上で、前記受け材５上に、歩廊材７を、折板３の折り筋と同方向に架設し、前記歩廊材７の上面を横断方向に押さえ付けた固定バンド８の両端８ａは、前記受け材５とボルト９で接合して設置する。
【００１２】
また、折板３の折り筋と直交する配置に設置する歩廊Ｗ２は、折板屋根の折り筋と直交する配置で、同折板屋根の各山頂上に歩廊材７を載置し、前記歩廊材７の上面を横断方向に押さえ付けた固定バンド８の両端８ａは、当該折板屋根の構築に使用した屋根用連結ボルト４Ａ又は４Ｂを利用して固定し設置する。
かくして折板屋根の折り筋と同方向に設置された歩廊Ｗ１（図１）と、折板屋根の折り筋と直交する配置に設置された歩廊Ｗ２（図６）とを、相互に歩行できる状態に接続することにより、折板屋根の上面に歩廊Ｗ１、Ｗ２を縦横に設置できる（図９）。
【実施例１】
【００１３】
図１は、折板屋根上に、折板３の折り筋と同方向に設置された歩廊Ｗ１の実施例を部分的に示している。
この折板屋根は、通例は図５に例示したように、屋根架構を構成する鉄骨梁１の上面に固定して用意された、折板断面とほぼ同形・同大の波形状をなすタイトフレーム２の上に、鋼板等を加工して略Ｖ字形の一山半タイプ、又は略Ｗ字形の二山半タイプ等に成形れた金属折板３の山同士を相互に重ね合わせ、前記タイトフレーム２が存在する場所では、タイトフレーム２とその上に重ねた２枚の折板３を上向きに使用した屋根用連結ボルト４Ａで合一に連結する。また、鉄骨梁１およびタイトフレーム２のスパン間でも折板相互の連結が必要な位置では、やはり上向きに使用した屋根用連結ボルト４Ｂで２枚の折板３、３同士を合一に連結して折板屋根が構築されている。因みに前記鉄骨梁１およびタイトフレーム２のスパンは通例３ｍ〜７ｍ程度、金属折板３の山間のピッチは、通例約４５ｃｍ程度、山の高さは２００ｍｍ程度、板厚は０．６〜１．２ｍｍ程度である。
【００１４】
上記のように構築された折板屋根の上面に、図１のように折板３の折り筋と同方向に歩廊Ｗ１を設置するにあたっては、図２〜図４に詳示したように、前記折板３の隣接する二山の間（但し、二山の限りではなく、二山以上の複数山でも可。）に跨る配置で、本実施例の場合は、図３に示したハット型の軽量形鋼を倒立状態に用いた受け材５が架け渡され、同受け材５の両端は、倒立ハット型の溝底部分を、当該折板屋根の構築に上向きに使用した上記屋根用連結ボルト４Ａ又は４Ｂのいずれかを利用しナット６を締結して強固に固定して設置されている。つまり、歩廊Ｗ１の長手方向に、歩廊材の支持に適切なピッチで配置する受け材５は、前記配置に適合する位置の屋根用連結ボルト４Ａ又は４Ｂのいずれかを選択して利用し、その両端を固定する。
【００１５】
そして、上記受け材５の上に、歩廊材７が折板３の折り筋と同方向に架設されている。因みにここで使用する歩廊材７は、特別仕様の資材を指すのではなく、例えば特開平１０−８７０９号公報に記載された通路部材とか、既往の足場板など、基本的に当該屋根工事現場に存在するもので利用できれば足りる。
受け材５の上に架設された歩廊材７は、同歩廊材７の上面を横断方向に押さえ付けた固定バンド８の両端８ａが、前記受け材５のフランジ部へボルト９で接合して固定されている。つまり、固定バンド８の配置は、上記受け材５の位置に一致させる。固定バンド８には、やはり現場にありあわせの幅が１００ｍｍ程度の帯状薄鋼板などを折り曲げ加工したものを利用できる。受け材５および固定バンド８は、図１に示したように、歩廊材７の長さを約４ｍとして、歩廊材７の長手方向に約１．５ｍ程度の間隔Ｐをあけて設置される。なお、図１中の符号１０は歩廊材７同士の接続部を指している。この接続部１０の構造については、実施例２を示す図８に基づいて後で説明する。図１の接続部１０の間隔は、当然、１枚の歩廊材７の長さ４ｍ毎に設けられている。
【００１６】
上記の通りであるから、本実施例の歩廊Ｗ１は、折板屋根の隣接する少なくとも二山の間に受け材５を架け渡し、その両端を屋根用連結ボルト４Ａ又は４Ｂのいずれかを利用して固定し、前記受け材５の上に歩廊材７を架設する構成であるから、設置のルートや場所を任意自在に選んで高い自由度で設置することができる。もとより、固定バンド８を固定したボルト９を取り外し、更に受け材５を撤去することにより、歩廊Ｗ１の撤去、或いは設置ルートの変更も自在に行うことができるハンドリング性の良さも兼ね備えている。
【実施例２】
【００１７】
次に、図６〜図８に基づいて、請求項２に記載した発明に係る、折板３の折り筋と直交する配置に設置された歩廊Ｗ２の実施例を説明する。
本実施例の場合も、一例として示した図５のように構築された折板屋根を前提として、同折板屋根の上面に、図６に示すように、折板３の折り筋と直交する配置で歩廊Ｗ２を設置するにあたり、先ずは折板屋根の各山頂上を跨ぐように、歩廊材７が載置される。そして、歩廊材７の長手方向に、折板屋根の凹凸にして一ないし複数個の間隔（図６の実施例では一つおきの間隔）を開けた山頂毎の位置であって、上記屋根用連結ボルト４Ａ又は４Ｂが存在する位置を選択して、図７に示したように、前記歩廊材７の上面を横断方向に押さえ付けた固定バンド８の両端８ａが、前記屋根用連結ボルト４Ａ又は４Ｂのいずれかをを利用しナット１１を締め付け固定して歩廊Ｗ２が設置されている。
【００１８】
なお、図８は、長手方向に突き合わせ接続された歩廊材７の接続構造を示している。図示した接続構造は、相互に突き合わせ接続される歩廊材７、７の端部を筒形の接続具１０に嵌め込んで接続し、更に接続具１０は止めネジ１２で各歩廊材７、７の端部へ固定して接続構造の安定化が図られている。この接続構造は、上述した実施例１の歩廊材の接続構造１０としても同様に実施される。
【００１９】
本実施例２の場合にも、歩廊Ｗ２の設置ルートや設置場所は、任意自在に選んで高い自由度で設置することができる。また、歩廊材７の上面を横断方向に押さえ付けた固定バンド８のナット１１をゆるめて外すことにより、当該歩廊Ｗ２の撤去、或いは設置ルートの変更を軽便に自在に行うことができるハンドリングの良さもある。
【実施例３】
【００２０】
図９は、以上に説明した実施例１の折板３の折り筋と同方向に設置された歩廊Ｗ１と、上記実施例２で説明した折板３の折り筋と直交する配置に設置された歩廊Ｗ２とを、それぞれ折板屋根上の必要な場所に必要なルートで設置して、相互間を歩行できる状態に接続することにより、広い折板屋根上の全面にわたり、必要十分な配置と位置を満足する歩廊Ｗ１、Ｗ２を縦横に設置した実施例を示している。
【００２１】
以上に、本発明を図示した実施例に基づいて説明したが、もとより本発明は図示した実施例の範囲に限定されるものではない。本発明の目的と要旨を逸脱しない範囲で、当業者が必要に応じて行う設計変更をはじめとする変形、応用を含むものである。例えば折板屋根の断熱・防水処理に関しては公知の吹き付けシステムで施工すること、或いは歩廊Ｗ１、Ｗ２の必要に応じて手摺りを設置することなども必要に応じて実施されることを念のため申し述べる。
【図面の簡単な説明】
【００２２】
【図１】本発明の実施例１を示した平面図である。
【図２】図１のII−II線矢視の拡大した断面図である。
【図３】図２のIII矢視図である。
【図４】図２のIV矢視図である。
【図５】折板屋根の構成図である。
【図６】本発明の実施例２を示した平面図である。
【図７】図６のVII−VII線矢視の拡大した断面図である。
【図８】図６のVIII−VIII線矢視断面図である。
【図９】本発明の実施例３を示した平面図である。
【符号の説明】
【００２３】
Ｗ１、Ｗ２  歩廊
１          梁  
２          タイトフレーム
３          折板
４Ａ、４Ｂ  屋根用連結ボルト
５          受け材
７          歩廊材
８          固定バンド
９          ボルト
【図１】
2009007796.tif 000003
【図２】
2009007796.tif 000004
【図３】
2009007796.tif 000005
【図４】
2009007796.tif 000006
【図５】
2009007796.tif 000007
【図６】
2009007796.tif 000008
【図７】
2009007796.tif 000009
【図８】
2009007796.tif 000010
【図９】
2009007796.tif 000011